(57)【要約】【課題】無線通信の情報の不一致で無線接続できなかった場合に、ユーザにその原因を通知することを目的とする。【解決手段】外部端末と無線通信を行う端末装置であって、前記外部端末の無線通信の情報を取得する取得手段と、前記外部端末の無線通信の情報と前記端末装置の無線通信の情報とが一致する場合、前記外部端末の無線通信の情報に基づいて前記外部端末に無線通信の接続要求を送信する送信手段と、前記外部端末の無線通信の情報と前記端末装置の無線通信の情報とが不一致の場合、前記外部端末の無線通信の情報と前記端末装置の無線通信の情報とが一致しない旨をユーザに通知する通知手段と、を有する。【選択図】図６
2019121875.tif 000002
【特許請求の範囲】
【請求項１】
外部端末と無線通信を行う端末装置であって、
前記外部端末の無線通信の情報を取得する取得手段と、
前記外部端末の無線通信の情報と前記端末装置の無線通信の情報とが一致する場合、前記外部端末の無線通信の情報に基づいて前記外部端末に無線通信の接続要求を送信する送信手段と、
前記外部端末の無線通信の情報と前記端末装置の無線通信の情報とが不一致の場合、前記外部端末の無線通信の情報と前記端末装置の無線通信の情報とが一致しない旨をユーザに通知する通知手段と、
を有する端末装置。
【請求項２】
外部端末と無線通信を行う端末装置であって、
前記外部端末の無線通信の情報を取得する取得手段と、
前記外部端末の無線通信の情報と前記端末装置の無線通信の情報とが一致する場合、前記外部端末の無線通信の情報に基づいて前記外部端末に無線通信の接続要求を送信する送信手段と、
前記外部端末の無線通信の情報と前記端末装置の無線通信の情報とが不一致の場合、前記端末装置の無線通信の情報を変更する画面を表示する表示手段と、
を有する端末装置。
【請求項３】
外部端末と無線通信を行う端末装置であって、
前記外部端末の無線通信の情報を取得する取得手段と、
前記外部端末の無線通信の情報と前記端末装置の無線通信の情報とが一致する場合、前記外部端末の無線通信の情報に基づいて前記外部端末に無線通信の接続要求を送信する送信手段と、
前記外部端末の無線通信の情報と前記端末装置の無線通信の情報とが不一致の場合、前記外部端末の無線通信の情報と前記端末装置の無線通信の情報とが一致するように前記端末装置の無線通信の情報を変更する制御手段と、
を有する端末装置。
【請求項４】
前記制御手段は、前記端末装置の無線通信の情報が変更され、前記外部端末と前記端末装置との無線通信が終了した場合、前記端末装置の無線通信の情報を元に戻す請求項３記載の端末装置。
【請求項５】
前記外部端末の無線通信の情報は、前記外部端末の無線ＬＡＮの周波数情報であり、
前記端末装置の無線通信の情報は、前記端末装置の無線ＬＡＮの周波数情報である請求項１乃至４何れか１項記載の端末装置。
【請求項６】
前記外部端末の無線通信の情報は、前記外部端末の無線ＬＡＮの規格情報であり、
前記端末装置の無線通信の情報は、前記端末装置の無線ＬＡＮの規格情報である請求項１乃至４何れか１項記載の端末装置。
【請求項７】
外部端末と無線通信を行う端末装置が実行する情報処理方法であって、
前記外部端末の無線通信の情報を取得する取得工程と、
前記外部端末の無線通信の情報と前記端末装置の無線通信の情報とが一致する場合、前記外部端末の無線通信の情報に基づいて前記外部端末に無線通信の接続要求を送信する送信工程と、
前記外部端末の無線通信の情報と前記端末装置の無線通信の情報とが不一致の場合、前記外部端末の無線通信の情報と前記端末装置の無線通信の情報とが一致しない旨をユーザに通知する通知工程と、
を含む情報処理方法。
【請求項８】
外部端末と無線通信を行う端末装置が実行する情報処理方法であって、
前記外部端末の無線通信の情報を取得する取得工程と、
前記外部端末の無線通信の情報と前記端末装置の無線通信の情報とが一致する場合、前記外部端末の無線通信の情報に基づいて前記外部端末に無線通信の接続要求を送信する送信工程と、
前記外部端末の無線通信の情報と前記端末装置の無線通信の情報とが不一致の場合、前記端末装置の無線通信の情報を変更する画面を表示する表示工程と、
を含む情報処理方法。
【請求項９】
外部端末と無線通信を行う端末装置が実行する情報処理方法であって、
前記外部端末の無線通信の情報を取得する取得工程と、
前記外部端末の無線通信の情報と前記端末装置の無線通信の情報とが一致する場合、前記外部端末の無線通信の情報に基づいて前記外部端末に無線通信の接続要求を送信する送信工程と、
前記外部端末の無線通信の情報と前記端末装置の無線通信の情報とが不一致の場合、前記外部端末の無線通信の情報と前記端末装置の無線通信の情報とが一致するように前記端末装置の無線通信の情報を変更する制御工程と、
を含む情報処理方法。
【請求項１０】
コンピュータを、請求項１乃至６何れか１項記載の端末装置の各手段として機能させるためのプログラム。
【発明の詳細な説明】
【技術分野】
【０００１】
本発明は、端末装置、情報処理方法及びプログラムに関する。
【背景技術】
【０００２】
近年、電気電子学会（ＩＥＥＥ）８０２．１１規格として、８０２．１１ａ／ｂ／ｇ／ｎに加えて、より高速な８０２．１１ａｃが規定された。８０２．１１ａｃ／ａは５ＧＨｚの周波数帯域を使用する。一方、８０２．１１ｂ／ｇは２．４ＧＨｚの周波数帯域を使用する。また、８０２．１１ｎは２．４ＧＨｚ及び５ＧＨｚの両方をサポートするが、一般的には２．４ＧＨｚ周波数帯域が使用されている。一般的なモバイル端末では、これらの無線ＬＡＮ規格をすべてサポートしている。
また、モバイル端末がアクセスポイントに接続する手段として、ハンドオーバーによる接続方法が普及している（特許文献１参照）。アクセスポイントは自身のＳＳＩＤや鍵情報をＮＤＥＦ（ＮＦＣ  Ｅｘｃｈａｎｇｅ  Ｄａｔａ  Ｆｏｒｍａｔ）データやＱＲ（登録商標）画像に格納する。モバイル端末はＮＦＣ（Ｎｅａｒ  Ｆｉｅｌｄ  Ｒａｄｉｏ  Ｃｏｍｍｕｎｉｃａｔｉｏｎ）によってＮＤＥＦデータを読み込んだり、ＱＲ画像を撮影したりして、取得したＳＳＩＤや鍵情報を使ってアクセスポイントに対して無線ＬＡＮ接続を行う。
【先行技術文献】
【特許文献】
【０００３】
【特許文献１】特開２０１３−０６２７８６号公報
【発明の概要】
【発明が解決しようとする課題】
【０００４】
モバイル端末やアクセスポイントの動作周波数が不一致の場合、モバイル端末はアクセスポイントとの接続を確立することはできない。例えば、モバイル端末が２．４ＧＨｚの８０２．１１ｎで動作していて、アクセスポイントが５ＧＨｚの８０２．１１ａｃで動作している場合、動作周波数が一致しないので無線ＬＡＮ接続を確立することができない。
ユーザはモバイル端末を使用してＱＲやＮＦＣタッチをしても、その後いつまで経過しても無線ＬＡＮ接続が確立できない状態が続く、又はただ接続エラーが表示されるだけのため、なぜ接続を確立できないのかユーザが原因を知ることができない。
【課題を解決するための手段】
【０００５】
本発明は、外部端末と無線通信を行う端末装置であって、前記外部端末の無線通信の情報を取得する取得手段と、前記外部端末の無線通信の情報と前記端末装置の無線通信の情報とが一致する場合、前記外部端末の無線通信の情報に基づいて前記外部端末に無線通信の接続要求を送信する送信手段と、前記外部端末の無線通信の情報と前記端末装置の無線通信の情報とが不一致の場合、前記外部端末の無線通信の情報と前記端末装置の無線通信の情報とが一致しない旨をユーザに通知する通知手段と、を有する。
【発明の効果】
【０００６】
本発明によれば、無線通信の情報の不一致で無線接続できなかった場合に、ユーザにその原因を通知することができる。
【図面の簡単な説明】
【０００７】
【図１】通信システムのシステム構成の一例を示す図である。
【図２】モバイル端末のハードウェア構成の一例を示す図である。
【図３】モバイル端末における周波数帯域変更のＵＩ例を示す図である。
【図４】印刷装置のハードウェア構成の一例を示す図である。
【図５】印刷装置における周波数帯域変更のＵＩ例を示す図である。
【図６】モバイル端末の情報処理の一例を示すフローチャートである。
【図７】ＱＲ画像に含まれるデータの一例を示す図である。
【図８】ＮＤＥＦデータに含まれるデータ構成の一例を示す図である。
【図９】キャラクタリスティックのデータの一例を示す図である。
【図１０】エラー表示の一例を示す図である。
【図１１】エラー表示の一例を示す図である。
【図１２】印刷装置の情報処理の一例を示すフローチャートである。
【図１３】モバイル端末の情報処理の一例を示すフローチャートである。
【図１４】モバイル端末の情報処理の一例を示すフローチャートである。
【発明を実施するための形態】
【０００８】
以下、本発明の実施形態について図面に基づいて説明する。
【０００９】
＜実施形態１＞
図１を用いて、通信システムのシステム構成を説明する。モバイル端末２００は無線ＬＡＮ機能を搭載し、アクセスポイントモードで動作する印刷装置２１０と直接無線ＬＡＮ通信を行う。印刷装置２１０の直接無線ＬＡＮ通信はアクセスポイントモードに限定せず、直接無線ＬＡＮ接続をサポートする機能であれば何でもよい。例えばＷｉ−Ｆｉ  Ａｌｌｉａｎｃｅが定めるＷｉ−Ｆｉ  Ｄｉｒｅｃｔモードでもよい。また、印刷装置２１０は、印刷装置に限定せず、アクセスポイントモードやＷｉ−Ｆｉ  Ｄｉｒｅｃｔモードを搭載する端末であれば何でもよい。直接無線ＬＡＮ通信は、無線通信の一例である。
【００１０】
次に図２を用いて、モバイル端末２００のハードウェア構成を説明する。本実施形態のモバイル端末２００は無線ＬＡＮ機能を搭載していれば、ノートパソコンやタブレット端末でもよい。
ＣＰＵ３０１は、ＲＯＭ３０３が記憶しているプログラムを読み出して、モバイル端末２００の動作を制御するための様々な処理を実行する。ＲＯＭ３０３は、プログラムを記憶している。ＲＡＭ３０２は、ＣＰＵ３０１の主メモリ、ワークエリア等の一時記憶領域として用いられる。ＨＤＤ３０４は、画像等の様々なデータを記憶する。
モバイル端末２００の場合、１つのＣＰＵ３０１が後述する図６、図１３、図１４のフローチャートに示す各処理を実行するものとするが、他の態様であってもよい。例えば、複数のＣＰＵが協働して図６、図１３、図１４のフローチャートに示す各処理を実行するようにすることもできる。
カメラインターフェース部３０６は、カメラ３０７を使用してＱＲ画像等の撮影を行う。
操作パネルインターフェース３０８は、タッチパネル機能を有する液晶表示部である操作部３０９に各種画像を表示する。ユーザは、操作部３０９を介してモバイル端末２００に対して指示や情報を入力することができる。
無線ＬＡＮインターフェース部３１０は、無線ＬＡＮチップ３１１を介して、印刷装置２１０等の外部装置との間で無線ＬＡＮ通信を実行する。
Ｂｌｕｅｔｏｏｔｈ（登録商標）インターフェース部３１２は、Ｂｌｕｅｔｏｏｔｈチップ３１３を介して、外部装置との間でＢｌｕｅｔｏｏｔｈ通信を実行する。Ｂｌｕｅｔｏｏｔｈ通信はＢＬＥも含まれる。
ＮＦＣインターフェース部３１４は、ＮＦＣチップを介して外部端末との間でＮＦＣ通信を実行する。
【００１１】
図３は、モバイル端末２００における周波数帯域変更のＵＩ例を示す図である。「自動」「５ＧＨｚ」「２．４ＧＨｚ」の排他設定がある。例えばユーザが８０２．１１ａｃだけを使用したい場合は「５ＧＨｚ」を選択する。するとモバイル端末２００は８０２．１１ａｃだけが有効になる。また、ユーザが８０２．１１ｎだけを使用したい場合は「２．４ＧＨｚ」を選択する。するとモバイル端末２００は８０２．１１ｎだけが有効になる。「自動」は、そのモバイル端末２００がサポートする無線ＬＡＮ規格すべてが有効になる設定を意味する。例えばモバイル端末２００が８０２．１１ｎと８０２．１１ａｃとをサポートしている場合、「自動」設定が選択されたら、モバイル端末２００は両方の周波数帯域でＳＳＩＤ検索を実行する。
【００１２】
次に図４を用いて、印刷装置２１０のハードウェア構成を説明する。
ＣＰＵ１１０１は、ＲＯＭ１１０３が記憶しているプログラムを読み出して、印刷装置２１０の動作を制御するための様々な処理を実行する。ＲＯＭ１１０３は、プログラムを記憶している。ＲＡＭ１１０２は、ＣＰＵ１１０１の主メモリ、ワークエリア等の一時記憶領域として用いられる。ＨＤＤ１１０４は、画像等の様々なデータを記憶する。
印刷装置２１０の場合、１つのＣＰＵ１１０１が後述する図１２のフローチャートに示す各処理を実行するものとするが、他の態様であってもよい。例えば、複数のＣＰＵが協働して図１２のフローチャートに示す各処理を実行するようにすることもできる。
プリントインターフェース部１１０６は、プリント処理部１１０７を使用して指定された画像データの印字及び排紙処理を行う。
操作パネルインターフェース１１０８は、タッチパネル機能を有する液晶表示部である操作部１１０９に各種画像を表示する。ユーザは、操作部１１０９を介して印刷装置２１０に対して指示や情報を入力することができる。
無線ＬＡＮインターフェース部１１１０は、無線ＬＡＮチップ１１１１を介して、モバイル端末２００等の外部装置との間で無線ＬＡＮ通信を実行する。
Ｂｌｕｅｔｏｏｔｈインターフェース部１１１２は、Ｂｌｕｅｔｏｏｔｈチップ１１１３を介して、外部装置との間でＢｌｕｅｔｏｏｔｈ通信を実行する。Ｂｌｕｅｔｏｏｔｈ通信はＢＬＥも含まれる。
ＮＦＣインターフェース部１１１４は、ＮＦＣチップ１１１５を介して外部端末との間でＮＦＣ通信を実行する。
【００１３】
図５は、印刷装置２１０における周波数帯域変更のＵＩ例を示す図である。「５ＧＨｚ」「２．４ＧＨｚ」の排他設定がある。例えばユーザが８０２．１１ａｃだけを使用したい場合は「５ＧＨｚ」を選択する。また、ユーザが８０２．１１ｎだけを使用したい場合は「２．４ＧＨｚ」を選択する。「５ＧＨｚ」設定が選択されていた場合、印刷装置２１０は８０２．１１ａｃでアクセスポイントモードを起動する。また、「２．４ＧＨｚ」設定が選択されていた場合、印刷装置２１０は８０２．１１ｎでアクセスポイントモードを起動する。
【００１４】
次にモバイル端末２００が対向端末の周波数帯域情報を取得して、一致するかどうかを判定する情報処理について、図６のフローチャートを用いて説明する。
図６に示すフローチャートはモバイル端末２００のフローチャートとなる。
Ｓ４０１において、ＣＰＵ３０１は、対向端末の通信情報を取得する。通信情報の取得手段として、例えば以下の手段がある。
・ＱＲ画像の撮影
・ＮＦＣ
・Ｂｌｕｅｔｏｏｔｈ
ＱＲ画像の撮影の場合、ユーザはモバイル端末２００のカメラ３０７を起動する。印刷装置２１０がＱＲ画像を表示していたら、モバイル端末２００はユーザ操作に応じてそのＱＲ画像を撮影する。図７はＱＲ画像に含まれるデータの一例を示す図である。ＱＲ画像には、印刷装置２１０のＩＰアドレスやＭＡＣアドレス、ＳＳＩＤや鍵情報が格納されている。これらの情報に加えてＱＲ画像には、印刷装置２１０の動作している周波数帯域情報や無線ＬＡＮ規格情報も格納されている。図７の例では印刷装置２１０は８０２．１１ａｃの５ＧＨｚの周波数帯域で動作していることを意味する。
ＮＦＣの場合、ユーザはモバイル端末２００のＮＦＣチップ３１５を、対向端末のＮＦＣチップにタッチする。このことで、モバイル端末２００はＮＤＥＦデータを取得する。図８は、ＮＤＥＦデータに含まれるデータ構成の一例を示す図である。ネットワークＩＤレコード領域には印刷装置２１０が動作するＩＰアドレスやＭＡＣアドレスが格納される。また、独自拡張レコード領域には印刷装置２１０の動作しているＳＳＩＤや鍵情報、周波数帯域情報や無線ＬＡＮ規格情報が格納される。
Ｂｌｕｅｔｏｏｔｈの場合、モバイル端末２００はＢｌｕｅｔｏｏｔｈチップ３１３を介して、印刷装置２１０の詳細な通信情報をＢｌｕｅｔｏｏｔｈ通信で取得する。例えば、印刷装置２１０が定期的にＢＬＥのビーコンを送信している場合、モバイル端末２００は、ビーコンを受信したらＢＬＥのＧＡＴＴ接続要求を印刷装置２１０に送信し、双方向接続を確立する。図９は、ＧＡＴＴにより取得できるキャラクタリスティックのデータの一例を示す図である。アクセスポイントのＳＳＩＤや鍵情報、周波数帯域情報や無線ＬＡＮ規格情報が取得できる。
上記何れかの取得手段によってＣＰＵ３０１は、対向端末の通信情報を取得する。
【００１５】
Ｓ４０２において、ＣＰＵ３０１は、取得した通信情報の中に、印刷装置２１０の動作周波数情報が格納されているかどうかを判定する。
周波数情報が格納されている場合、Ｓ４０３において、ＣＰＵ３０１は、対向の周波数情報を判別する。ＣＰＵ３０１は、対向の動作周波数が２．４ＧＨｚを示している場合、Ｓ４０８に処理を進め、対向の動作周波数が５ＧＨｚを示している場合、Ｓ４０４に処理を進める。
Ｓ４０４において、ＣＰＵ３０１は、自端末の動作周波数と一致するかどうかを判定する。ＣＰＵ３０１は、自端末の動作周波数設定が５ＧＨｚ又は自動の場合は、動作周波数が一致すると判定し、Ｓ４０５に処理を進め、自端末の動作周波数が２．４ＧＨｚの場合は、動作周波数が一致しないと判定し、Ｓ４０８に処理を進める。
Ｓ４０５において、ＣＰＵ３０１は、取得したＳＳＩＤ、鍵情報を使用して印刷装置２１０に無線ＬＡＮ接続要求を送信する。
Ｓ４０６において、ＣＰＵ３０１は、無線ＬＡＮ接続要求が成功したかどうかを判定する。この接続要求は、動作周波数も一致しているため周波数不一致エラーは発生することはない。しかし、例えば印刷装置２１０の無線ＬＡＮ接続台数が最大値に達している等、他の理由で無線ＬＡＮ接続が失敗する場合はある。ＣＰＵ３０１は、無線ＬＡＮ接続が正常接続完了した場合は、Ｓ４０７に処理を進め、無線ＬＡＮ接続が失敗した場合は、Ｓ４１０に処理を進める。
Ｓ４０７において、ＣＰＵ３０１は、印刷装置２１０とモバイル端末２００との無線ＬＡＮ接続を完了する。その結果、モバイル端末２００と印刷装置２１０とは所望の無線ＬＡＮ通信を行う。
【００１６】
Ｓ４１０において、ＣＰＵ３０１は、図１０のようなエラー表示を操作部３０９に表示する。この場合、ＣＰＵ３０１は、無線ＬＡＮ接続要求を送信して、一定時間の応答待ちや、一定回数の再送を繰り返した結果、接続失敗したことを判定するため、図１０のエラー表示まで時間がかかる。そのため、ユーザは一定時間待たされた後にエラーが発生したことを理解する。
Ｓ４０８において、ＣＰＵ３０１は、自端末の動作周波数と一致するかどうかを判定する。ＣＰＵ３０１は、自端末の動作周波数設定が２．４ＧＨｚ又は自動の場合は、動作周波数が一致すると判定して、Ｓ４０５に進み、自端末の動作周波数が５ＧＨｚの場合は、動作周波数が一致しないと判定して、Ｓ４０９に進む。
Ｓ４０９において、ＣＰＵ３０１は、図１１のような動作周波数が不一致のため接続できないエラー表示を操作部３０９に表示する。この場合、モバイル端末２００は、無線ＬＡＮ接続要求を送信する前に、接続できないことが判定可能でエラー表示することができる。そのため、ユーザは従来のＳ４０９のエラーより早い段階でエラーを知ることができる。更に、ユーザは接続できない原因が周波数の不一致であることを理解できる。
【００１７】
また、Ｓ４０２で周波数情報が格納されていない場合は従来技術と同等のフローチャートの処理となり、Ｓ４０５において、ＣＰＵ３０１は取得したＳＳＩＤ、鍵情報を使用して印刷装置２１０に無線ＬＡＮ接続要求を送信する。しかし動作周波数が一致するかどうかわからないため、もし動作周波数設定が一致しなければ、無線ＬＡＮ接続は失敗に終わる場合がある。例えばモバイル端末２００は５ＧＨｚで動作していて、印刷装置２１０が２．４ＧＨｚで動作している場合、ＳＳＩＤ及び鍵情報は一致していても周波数が異なるのでモバイル端末２００の接続要求に対する応答は返ってこない。その結果、モバイル端末２００の接続要求は一定時間及び一定回数の再送を繰り返した後、接続エラーとなる。失敗した場合は、Ｓ４１０において、ＣＰＵ３０１は、図１０のように接続失敗の画面を操作部３０９に表示するが、ユーザは何が原因でエラーになったか理解できない。また、動作周波数が一致していても、例えば印刷装置２１０の無線ＬＡＮ接続台数が最大値に達している等、他の理由で無線ＬＡＮ接続が失敗する場合はある。その場合もＣＰＵ３０１は、図１０のような接続失敗の画面を操作部３０９に表示するが、ユーザは何が原因でエラーになったか理解できない。
【００１８】
図１２に示すフローチャートは印刷装置２１０のフローチャートとなる。
Ｓ１３０１において、ＣＰＵ１１０１は、アクセスポイントモードを開始する。アクセスポイントモードは、例えば、印刷装置２１０の電源ＯＮ時、又は、操作部１１０９から指示された場合に開始される。
次にＳ１３０２において、ＣＰＵ１１０１は、開始した動作周波数が５ＧＨｚなのか２．４ＧＨｚなのかを判定する。印刷装置の無線ＬＡＮ動作情報はＲＡＭに保存され、ＳＳＩＤ、鍵情報、動作周波数情報等から構成される。ＣＰＵ１１０１は、５ＧＨｚならばＳ１３０３に進み、２．４ＧＨｚならばＳ１３０４に進む。
Ｓ１３０３において、ＣＰＵ１１０１は、ＲＡＭ１１０２上の動作周波数情報に５ＧＨｚを格納する。
Ｓ１３０４において、ＣＰＵ１１０１は、ＲＡＭ１１０２上の動作周波数情報に２．４ＧＨｚを格納する。
次にＳ１３０５において、ＣＰＵ１１０１は、印刷装置２１０のＮＦＣ機能が有効かどうかを判定する。ＣＰＵ１１０１は、ＮＦＣ機能が有効の場合、Ｓ１３０６に進み、ＮＦＣ機能が有効でない場合、Ｓ１３０７に進む。
Ｓ１３０６において、ＣＰＵ１１０１は、ＳＳＩＤ、鍵情報、動作周波数情報をＮＤＥＦデータに格納する。
次にＳ１３０７において、ＣＰＵ１１０１は、印刷装置２１０のＱＲ画像表示機能が有効かどうかを判定する。ＣＰＵ１１０１は、ＱＲ画像表示機能が有効の場合、Ｓ１３０８に進み、ＱＲ画像表示機能が有効でない場合、Ｓ１３０９に進む。
Ｓ１３０８において、ＣＰＵ１１０１は、ＳＳＩＤ、鍵情報、動作周波数情報をＱＲ画像に格納する。
次にＳ１３０９において、ＣＰＵ１１０１は、印刷装置２１０のＢＬＥ機能が有効かどうかを判定する。ＣＰＵ１１０１は、ＢＬＥ機能が有効の場合、Ｓ１３１０に進み、ＢＬＥ機能が無効の場合、図１２に示すフローチャートの処理を終了する。
Ｓ１３１０において、ＣＰＵ１１０１は、ＳＳＩＤ、鍵情報、動作周波数情報をＢＬＥデータに格納する。
【００１９】
本実施形態ではモバイル端末２００は、周波数情報を比較したが、８０２．１１ｎ等、無線ＬＡＮ規格情報を比較してもよい。モバイル端末２００は、無線ＬＡＮ規格情報を比較して一致する場合は、印刷装置２１０に無線ＬＡＮ接続要求を送信し、不一致の場合は、モバイル端末２００の無線ＬＡＮ規格情報を変更する画面等を表示する。また、モバイル端末２００は、周波数情報と無線ＬＡＮ規格情報との両方を比較してもよい。
これより、モバイル端末２００は、ＱＲやＮＤＥＦデータから対向のアクセスポイントが動作している動作周波数を取得することができる。したがって、モバイル端末２００がアクセスポイントに無線ＬＡＮ接続要求を送信する前に、自身の動作周波数とアクセスポイントの動作周波数とを比較して不一致の場合は、周波数不一致である旨をユーザに通知することができる。よって、ユーザはエラーの原因を知ることができる。
【００２０】
＜実施形態２＞
本実施形態では、モバイル端末２００において、動作周波数を比較し、不一致の場合は周波数設定変更画面に誘導する情報処理について図１３のフローチャートを用いて説明する。
図１３に示すフローチャートはモバイル端末２００のフローチャートとなる。図１３の処理は、図６のＳ４０８におけるモバイル端末２００が印刷装置２１０の動作周波数と一致しないと判定した個所から開始される。
Ｓ９０１で印刷装置２１０と自身の動作周波数が不一致だと判定した場合、Ｓ９０２において、ＣＰＵ３０１は、周波数帯域変更設定画面を操作部３０９に表示する。周波数帯域設定画面は例えば図３のようなＵＩである。これより、ユーザは印刷装置２１０と無線ＬＡＮ接続するには周波数変更が必要であることを理解できる。
次に、Ｓ９０３において、ＣＰＵ３０１は、周波数帯域が印刷装置２１０と一致する周波数に変更されたかどうかを判定する。例えば、印刷装置２１０が５ＧＨｚで動作している場合、モバイル端末の周波数設定が「５ＧＨｚ」又は「自動」に設定されると一致する。又は、印刷装置２１０が２．４ＧＨｚで動作している場合、モバイル端末の周波数設定は「２．４ＧＨｚ」又は「自動」に設定されると一致する。ＣＰＵ３０１は、一致する周波数に変更された場合、Ｓ９０４に進み、一致する周波数に変更されなかった場合、Ｓ９０５に進む。
Ｓ９０４において、ＣＰＵ３０１は、取得したＳＳＩＤ、鍵情報を使用して印刷装置２１０に無線ＬＡＮ接続要求を送信する。動作周波数も一致しているため、無線ＬＡＮ接続が失敗することはない。
Ｓ９０５において、ＣＰＵ３０１は、操作部３０９に図１１のような周波数が一致しないため接続失敗した旨のエラーを表示する。
【００２１】
これより、モバイル端末２００は動作周波数が不一致だと判定した場合、周波数変更画面に自動的に遷移するので、ユーザは操作手番が少なく所望の設定変更を行い、無線ＬＡＮ接続を確立することができる。
【００２２】
＜実施形態３＞
本実施形態では、モバイル端末２００において、動作周波数を比較し、不一致の場合は自動的に周波数設定を変更する情報処理について図１４のフローチャートを用いて説明する。
図１４に示すフローチャートはモバイル端末２００のフローチャートとなる。図１４の処理は、図６のＳ４０８におけるモバイル端末２００が印刷装置２１０の動作周波数と一致しないと判定した個所から開始される。
Ｓ１００１で印刷装置２１０と自身の動作周波数が不一致だと判定した場合、Ｓ１００２において、ＣＰＵ３０１は、自機の周波数を、自動的に対向と一致する周波数帯域に変更する。例えばモバイル端末２００が８０２．１１ｎの２．４ＧＨｚで動作していて、印刷装置２１０が８０２．１１ａｃの５ＧＨｚで動作している場合、ＣＰＵ３０１は、モバイル端末２００の動作周波数設定を「自動」に自動的に変更する。
次にＳ１００３において、ＣＰＵ３０１は、取得したＳＳＩＤ、鍵情報を使用して印刷装置２１０に無線ＬＡＮ接続要求を送信する。動作周波数も一致しているため、無線ＬＡＮ接続が失敗することはない。
Ｓ１００４において、ＣＰＵ３０１は、印刷装置２１０とモバイル端末２００との無線ＬＡＮ接続を完了する。その結果、モバイル端末２００と印刷装置２１０とは所望の無線ＬＡＮ通信を行う。
Ｓ１００５において、ＣＰＵ３０１は、モバイル端末２００と印刷装置２１０との無線ＬＡＮ接続を終了するか否かを判定する。ＣＰＵ３０１は、無線ＬＡＮ接続を終了すると判定すると、Ｓ１００６に進み、無線ＬＡＮ接続を終了しないと判定すると、Ｓ１００５の処理を実行する。
Ｓ１００６において、ＣＰＵ３０１は、Ｓ１００２において自動的に自機の動作周波数を変更したかどうかを判定する。自機の動作周波数を変更していた場合、ＣＰＵ３０１は、元々動作していた周波数に設定を変更する。
【００２３】
これより、モバイル端末２００は動作周波数が不一致だと判定した場合、自動的に一致する周波数に変更して無線ＬＡＮ接続を行うことができる。また、無線ＬＡＮ接続の終了後には自動的に元の周波数に戻すことで、設定が不一致でもユーザの操作なくＬＡＮ接続を確立することができる。
【００２４】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２５】
以上、本発明の実施形態の一例について詳述したが、本発明は係る特定の実施形態に限定されるものではない。
また、上述した実施形態を任意に組み合わせて実施してもよい。
【００２６】
以上、上述した各実施形態によれば、モバイル端末はＱＲやＮＤＥＦデータから対向のアクセスポイントが動作している動作周波数を取得することができる。これより、モバイル端末がアクセスポイントに無線ＬＡＮ接続要求を送信する前に、自身の動作周波数を比較して不一致の場合は、周波数不一致である旨をユーザに通知することができ、ユーザはエラーの原因を知ることができる。
よって、無線ＬＡＮの動作周波数の不一致や無線ＬＡＮの規格の不一致で無線接続できなかった場合に、ユーザにその原因を通知することができる。
【符号の説明】
【００２７】
２００  モバイル端末
３０１  ＣＰＵ
【図１】
2019121875.tif 000003
【図２】
2019121875.tif 000004
【図３】
2019121875.tif 000005
【図４】
2019121875.tif 000006
【図５】
2019121875.tif 000007
【図６】
2019121875.tif 000008
【図７】
2019121875.tif 000009
【図８】
2019121875.tif 000010
【図９】
2019121875.tif 000011
【図１０】
2019121875.tif 000012
【図１１】
2019121875.tif 000013
【図１２】
2019121875.tif 000014
【図１３】
2019121875.tif 000015
【図１４】
2019121875.tif 000016